(57)【要約】【課題】データの特性に合った方法でスナップショットを作成することのできるスナップショット作成装置を提供する。【解決手段】アンドゥ型スナップショット作成部１４は、最新のデータを基に、それより古い版のデータを順次差分だけ保存するようにスナップショットを作成する。リドゥ型スナップショット作成部１５は、最古のデータを基に、それ新しい版のデータを順次差分だけ保存するようにスナップショットを作成する。スナップショット切替部１３は、アンドゥ型スナップショット作成部１４によるスナップショットを作成するか、リドゥ型スナップショット作成部１５によるスナップショットを作成するかを切り替える。【選択図】図１
2007272675.tif 000002
【特許請求の範囲】
【請求項１】
過去の世代のデータをスナップショットとして保存管理するスナップショット作成装置であって、
最新のデータを基に、それより古い版のデータを順次差分だけ保存するようにスナップショットを作成するアンドゥ型スナップショット作成部と、
最古のデータを基に、それより新しい版のデータを順次差分だけ保存するようにスナップショットを作成するリドゥ型スナップショット作成部と、
前記アンドゥ型スナップショット作成部によるスナップショットを作成するか、前記リドゥ型スナップショット作成部によるスナップショットを作成するかを切り替えるスナップショット切替部と、を有するスナップショット作成装置。
【請求項２】
前記スナップショット切替部は、前記アンドゥ型スナップショット作成部によるスナップショットを作成するか、前記リドゥ型スナップショット作成部によるスナップショットを作成するかをボリューム毎に切り替える、請求項１に記載のスナップショット作成装置。
【請求項３】
ユーザの入力に基づいて、前記アンドゥ型スナップショット作成部によるスナップショットを作成するか、前記リドゥ型スナップショット作成部によるスナップショットを作成するかを前記スナップショット切替部に指示するスナップショット入力部を更に有する、請求項１または２に記載のスナップショット作成装置。
【請求項４】
データの特性に基づいて、前記アンドゥ型スナップショット作成部によるスナップショットを作成するか、前記リドゥ型スナップショット作成部によるスナップショットを作成するかを前記スナップショット切替部に指示するスナップショット設定部を更に有する、請求項１から３のいずれか１項に記載のスナップショット作成装置。
【請求項５】
前記スナップショット設定部は、最古の世代のスナップショットを廃棄した回数と最新の世代のスナップショットを廃棄した回数とに関する統計情報を用いてスナップショット作成方法を選択する、請求項４に記載のスナップショット作成装置。
【請求項６】
前記スナップショット設定部は、ライトアクセスとリードアクセスに関する統計情報を用いてスナップショット作成方法を選択する、請求項４または５に記載のスナップショット作成装置。
【請求項７】
前記スナップショット設定部は、装置内のデータのスナップショットの作成方法に関する属性情報を用いてスナップショット作成方法を選択する、請求項４から６のいずれか１項に記載のスナップショット作成装置。
【請求項８】
過去の世代のデータをスナップショットとして保存管理するためのスナップショット作成方法であって、
最新のデータを基に、それより古い版のデータを順次差分だけ保存するようにスナップショットを作成する第１の作成手段と、最古のデータを基に、それ新しい版のデータを順次差分だけ保存するようにスナップショットを作成する第２の作成手段とを備えておき、
前記第１の作成手段と前記第２の作成手段のいずれの手段でスナップショットを作成するかを切り替える、スナップショット作成方法。
【請求項９】
前記第１の作成手段によるスナップショットを作成するか、前記第２の作成手段によるスナップショットを作成するかをボリューム毎に切り替える、請求項８に記載のスナップショット作成方法。
【請求項１０】
ユーザの入力に基づいて、前記第１の作成手段によるスナップショットを作成するか、前記第２の作成手段によるスナップショットを作成するかを定める、請求項８または９に記載のスナップショット作成方法。
【請求項１１】
データの特性に基づいて、前記第１の作成手段によるスナップショットを作成するか、前記第２の作成手段によるスナップショットを作成するかを定める、請求項８から１０のいずれか１項に記載のスナップショット作成方法。
【請求項１２】
最古の世代のスナップショットを廃棄した回数と最新の世代のスナップショットを廃棄した回数とに関する統計情報を用いてスナップショット作成方法を選択する、請求項１１に記載のスナップショット作成方法。
【請求項１３】
ライトアクセスとリードアクセスに関する統計情報を用いてスナップショット作成方法を選択する、請求項１１または１２に記載のスナップショット作成方法。
【請求項１４】
装置内のデータのスナップショットの作成方法に関する属性情報を用いてスナップショット作成方法を選択する、請求項１１から１３のいずれか１項に記載のスナップショット作成方法。
【請求項１５】
コンピュータに、過去の世代のデータをスナップショットとして保存管理させるためのスナップショット作成プログラムであって、
最新のデータを基に、それより古い版のデータを順次差分だけ保存するようにスナップショットを作成する第１の作成手段と、最古のデータを基に、それ新しい版のデータを順次差分だけ保存するようにスナップショットを作成する第２の作成手段とのいずれの手段でスナップショットを作成するかを選択える手順と、
選択された手段でスナップショットを作成する手順と、をコンピュータに実行させるためのスナップショット作成プログラム。
【請求項１６】
前記第１の作成手段によるスナップショットを作成するか、前記第２の作成手段によるスナップショットを作成するかをボリューム毎に切り替える、請求項１５に記載のスナップショット作成プログラム。
【請求項１７】
ユーザの入力に基づいて、前記第１の作成手段によるスナップショットを作成するか、前記第２の作成手段によるスナップショットを作成するかを定める、請求項１５または１６に記載のスナップショット作成プログラム。
【請求項１８】
データの特性に基づいて、前記第１の作成手段によるスナップショットを作成するか、前記第２の作成手段によるスナップショットを作成するかを定める、請求項１５から１７のいずれか１項に記載のスナップショット作成プログラム。
【請求項１９】
最古の世代のスナップショットを廃棄した回数と最新の世代のスナップショットを廃棄した回数とに関する統計情報を用いてスナップショット作成方法を選択する、請求項１８に記載のスナップショット作成プログラム。
【請求項２０】
ライトアクセスとリードアクセスに関する統計情報を用いてスナップショット作成方法を選択する、請求項１８または１９に記載のスナップショット作成プログラム。
【請求項２１】
装置内のデータのスナップショットの作成方法に関する属性情報を用いてスナップショット作成方法を選択する、請求項１８から２０のいずれか１項に記載のスナップショット作成プログラム。
【発明の詳細な説明】
【技術分野】
【０００１】
本発明は、過去の世代のデータをスナップショットとして保存管理するスナップショット作成装置に関する。
【背景技術】
【０００２】
従来、改版や変更がされたデータのある瞬間のデータを保持するスナップショット機能を持ったストレージ装置が存在する。このスナップショット機能によれば、あるデータの複数の世代分をスナップショットとして保持することが可能である（例えば、特許文献１、２参照）。
【０００３】
スナップショットの作成方法には大きく分けて２通りがある。１つ目の方法は、最新のデータから古い版のデータに世代毎に順次、差分を保存する方法である。この方法をアンドゥ型スナップショット方法と呼ぶことにする。
【０００４】
２つ目の方法は、最古のデータから新しい版のデータに、世代毎に順次、差分を保存する方法である。この方法をリドゥ型スナップショット方法と呼ぶことにする。
【０００５】
アンドゥ型スナップショット方法では、最新のデータは全体が保存され、それよりも古い版のデータは次の版との差分だけが保存された状態となる。例えば、最古のデータ用の記録領域には、その次の版との差分だけが記録されている。そのため、最古のデータを廃棄するとき、最古のデータ用の記録領域を開放するように管理テーブルを更新するだけでよい。
【０００６】
一方、最新のデータ用の記録領域には、差分ではなく全体のデータが記録されている。そのデータがなくなると、他の版のデータを復元することができない。そのため、最新のデータを廃棄するとき、最新のデータを単純に廃棄することはできない。次に新しいデータ（すなわち新たに最新となるデータ）以前のデータに対するアクセス性を維持するためには、新たに最新となるデータを、差分だけでなく全体を記録した状態にする必要がある。そのために、新たに最新となるデータの差分データを、最新のデータ用の記憶領域に移動させる必要がある。この処理が、差分のデータ量によっては重たい処理となる。
【０００７】
このように、アンドゥ型スナップショット方法は、最古のデータを廃棄する処理は軽いが、最新のデータを廃棄する処理が重いという特徴を有している。
【０００８】
逆に、リドゥ型スナップショット方法では、最古のデータは全体が保存され、それよりも新しい版のデータは次の版との差分だけが保存された状態となる。例えば、最新のデータ用の記録領域には、その前の版との差分だけが記録されている。そのため、最新のデータを廃棄するとき、最新のデータ用の記録領域を開放するように管理テーブルを更新するだけでよい。
【０００９】
一方、最古のデータ用の記録領域には、差分ではなくデータの全体が記録されている。そのデータがなくなると、他の版のデータを復元することができない。そのため、最古のデータを廃棄するとき、最古のデータを単純に廃棄することはできない。次に古いデータ（すなわち新たに最古となるデータ）以降のデータに対するアクセス性を維持するためには、新たに最古となるデータを、差分だけでなく全体を記録した状態にする必要がある。そのために、新たに最古となるデータの差分データを、最古のデータ用の記憶領域に移動させる必要がある。この処理が差分のデータ量によっては重たい処理となる。
【００１０】
このように、リドゥ型スナップショット方法は、最新のデータを廃棄する処理は軽いが、最古のデータを廃棄する処理が重いという特徴を有している。
【特許文献１】特開２００４−３４２０５０号公報
【特許文献２】特開２００４−３４１８４１号公報
【発明の開示】
【発明が解決しようとする課題】
【００１１】
ストレージ装置に格納するデータには様々な特性のものがあり、最古のデータを廃棄する頻度が高いデータと、最新のデータを廃棄する頻度が高いデータとがある。
【００１２】
例えば、一般にデータベースなどでは、最新のデータが重要なので、スナップショットはローテーションをしながら最古のものから廃棄される。このような特性のデータにはアンドゥ型スナップショット方法が適している。
【００１３】
しかし、データベースのデータを本番業務のボリュームとは異なるボリュームに複製し、複製されたデータを用いてパッチあてテストを行い、テストが成功したらパッチを本番業務のボリュームに適用するという作業が行われることがある。また、パッチあてテストでは、失敗した場合に失敗する前の状態に戻すことを行う。このため、パッチあてテストでは、失敗した場合を考慮すれば、古いデータの重要性が比較的高いといえる。このような古いデータの重要性が高いという特性を有するデータにはリドゥ型スナップショット方法が適している。
【００１４】
一般に、ストレージ装置には多数のサーバが接続され、それぞれのサーバに複数のボリュームが割り当てられる。そのため、ストレージ装置には、様々な特性のデータを格納しているボリュームが混在している。しかしながら、従来のストレージ装置は、上述したいずれか一方の方法のみでスナップショット機能を実現していた。そのため、各ボリュームに格納されているデータの特性にあった方法でスナップショットを作成することができなかった。
【００１５】
本発明の目的は、データの特性に合った方法でスナップショットを作成することのできるスナップショット作成装置を提供することである。
【課題を解決するための手段】
【００１６】
上記目的を達成するために、本発明のスナップショット作成装置は、
過去の世代のデータをスナップショットとして保存管理するスナップショット作成装置であって、
最新のデータを基に、それより古い版のデータを順次差分だけ保存するようにスナップショットを作成するアンドゥ型スナップショット作成部と、
最古のデータを基に、それより新しい版のデータを順次差分だけ保存するようにスナップショットを作成するリドゥ型スナップショット作成部と、
前記アンドゥ型スナップショット作成部によるスナップショットを作成するか、前記リドゥ型スナップショット作成部によるスナップショットを作成するかを切り替えるスナップショット切替部とを有している。
【００１７】
本発明によれば、スナップショット作成装置はリドゥ型スナップショット作成部とアンドゥ型スナップショット作成部の２つを備え、いずれかのスナップショット作成方法を選択することができる。そのため、データの特性に対して適切なスナップショット作成方法を選択することができ、その結果としてスナップショットのデータを削除するのに要する処理が軽減される。
【００１８】
また、前記スナップショット切替部は、前記アンドゥ型スナップショット作成部によるスナップショットを作成するか、前記リドゥ型スナップショット作成部によるスナップショットを作成するかをボリューム毎に切り替えることとしてもよい。
【００１９】
また、ユーザの入力に基づいて、前記アンドゥ型スナップショット作成部によるスナップショットを作成するか、前記リドゥ型スナップショット作成部によるスナップショットを作成するかを前記スナップショット切替部に指示するスナップショット入力部を更に有することとしてもよい。
【００２０】
また、データの特性に基づいて、前記アンドゥ型スナップショット作成部によるスナップショットを作成するか、前記リドゥ型スナップショット作成部によるスナップショットを作成するかを前記スナップショット切替部に指示するスナップショット設定部を更に有することとしてもよい。
【００２１】
また、前記スナップショット設定部は、最古の世代のスナップショットを廃棄した回数と最新の世代のスナップショットを廃棄した回数とに関する統計情報を用いてスナップショット作成方法を選択することとしてもよい。
【００２２】
また、前記スナップショット設定部は、ライトアクセスとリードアクセスに関する統計情報を用いてスナップショット作成方法を選択することとしてもよい。
【００２３】
また、前記スナップショット設定部は、装置内のデータのスナップショットの作成方法に関する属性情報を用いてスナップショット作成方法を選択することとしてもよい。
【００２４】
これらによれば、ユーザからの指示、あるいはデータ特性に基づいて、いずれかのスナップショット作成方法を選択するので、ユーザの意図する、データ特性に合った方法でスナップショットを作成することができる。
【発明の効果】
【００２５】
本発明によれば、データの特性に対して適切なスナップショット作成方法を選択することができる。
【発明を実施するための最良の形態】
【００２６】
本発明を実施するための形態について図面を参照して詳細に説明する。
【００２７】
図１は、本実施形態のストレージ装置１０の構成を示すブロック図である。図１を参照すると、ストレージ装置１０は、スナップショット入力部１１、スナップショット設定部１２、スナップショット切替部１３、アンドゥ型スナップショット作成部１４、リドゥ型スナップショット作成部１５、属性情報管理部１６、統計情報管理部１７、メインデータ記憶部１８、およびスナップショット記憶部１９を有している。
【００２８】
メインデータ記憶部１８は、ストレージ装置１０が提供する、メインデータとなるボリュームのデータを記憶する記憶領域である。
【００２９】
スナップショット記憶部１９は、メインデータに対するスナップショットを記憶する記憶領域である。
【００３０】
統計情報管理部１７は、ストレージ装置１０が提供するボリューム毎のスナップショットの廃棄特性として、最古の世代のスナップショットを廃棄した回数、最新の世代のスナップショットを廃棄した回数をカウントし、記憶管理する。また、それらの比率を記憶管理することとしてもよい。これらをスナップショット作成方法の選択に用いることができる。
【００３１】
また、統計情報管理部１７は、ストレージ装置１０が提供するボリューム毎のアクセス特性として、リードとライトのアクセス回数の比率、リードとライトによりアクセスされたデータ量の比率、リード回数、ライト回数、リードされたデータ量、ライトされたデータ量をカウントし、記憶管理する。なお、これら全てを記憶していなくてもよく、この中から選択した１つ以上の項目を管理することとしてもよい。
【００３２】
属性情報管理部１６は、ストレージ装置１０が提供するボリューム毎のデータの属性として、スナップショットの作成方法の属性情報を記憶管理する。これをスナップショット作成方法の選択に用いることができる。また、属性情報管理部１６は、マスターデータかコピーデータか等を識別する属性情報も記憶管理する。
【００３３】
スナップショット設定部１２は、属性情報管理部１６および統計情報管理部１７の管理している情報を参照し、各ボリュームのデータの特性に適したスナップショット作成方法を選択してスナップショット切替部１３に指示する。
【００３４】
スナップショット入力部１１は、ユーザが入力したスナップショット作成方法の指定を受け、スナップショット切替部１３に指示する。
【００３５】
スナップショット切替部１３は、スナップショット設定部１２およびスナップショット入力部１１からの指示に従って、ボリューム毎にアンドゥ型かリドゥ型のいずれかのスナップショット作成方法を切り替え、アンドゥ型スナップショット作成部１４またはリドゥ型スナップショット作成部１５に指示する。スナップショット入力部１１の指示を優先するか、スナップショット設定部１２の指示を優先するかはポリシに従って任意に選択してよい。一例として、スナップショット入力部１１の指示を優先することとすれば、ユーザの意図に合った方法が選択され、かつユーザが指定しなかった場合でも適切な方法が選択される。
【００３６】
リドゥ型スナップショット作成部１５は、ホスト２０から各ボリュームに対するリードおよびライトのアクセスに対して、リドゥ型スナップショット作成方法でスナップショットを作成しながらリードおよびライト処理を行う。
【００３７】
アンドゥ型スナップショット作成部１４は、ホスト２０から各ボリュームに対するリードおよびライトのアクセスに対して、アンドゥ型スナップショット作成方法でスナップショットを作成しながらリードおよびライト処理を行う。
【００３８】
次に、本実施形態のストレージ装置１０の動作について説明する。
【００３９】
まず、ユーザが、スナップショット入力部１１から、ボリュームを指定してスナップショット作成方法を入力すると、指定した情報はスナップショット切替部１３に通知される。スナップショット切替部１３は、指定されたボリュームに対して指定されたスナップショット作成方法を設定する。
【００４０】
図２は、リドゥ型スナップショット作成方法が指定されたときのリード動作を説明するための図である。リドゥ型スナップショット作成方法が指定されると、ホスト２０からのリード要求は、図２に示すようにリドゥ型スナップショット作成部１５によって処理される。リドゥ型スナップショット作成部１５は、スナップショット記憶部１９に格納されている最新世代のスナップショットにリード要求の対象となっているデータが格納されているか否か判断する。
【００４１】
データが格納されていれば、リドゥ型スナップショット作成部１５は、スナップショット記憶部１９からリードを行い、リードされたデータをホスト２０に返す。
【００４２】
また、最新世代のスナップショットにリードデータが格納されていなければ、リドゥ型スナップショット作成部１５は、順次古い世代のスナップショットにデータが格納されているか否か判断する。順次判断していった結果として最終的に最古世代のでータにリードデータが格納されていた場合、リドゥ型スナップショット作成部１５は、データ全体が格納されているメインデータ記憶部１８からリードを行い、リードされたデータをホスト２０に返す。
【００４３】
図３は、リドゥ型スナップショット作成方法が指定されたときのライト動作を説明するための図である。リドゥ型スナップショット作成方法が指定されると、ホスト２０からのライト要求は、図３に示すようにリドゥ型スナップショット作成部１５によって処理される。リドゥ型スナップショット作成部１５は、スナップショット記憶部１９に格納されている最新世代のスナップショットに対してライトを行い、ホスト２０に完了報告を行う。
【００４４】
図４は、アンドゥ型スナップショット作成方法が指定されたときのリード動作を説明するための図である。アンドゥ型スナップショット作成方法が指定されると、ホスト２０からのリード要求は、図４に示すようにアンドゥ型スナップショット作成部１４によって処理される。アンドゥ型スナップショット作成部１４は、メインデータ記憶部１８に格納されている最新世代のメインデータからリードを行い、リードされたデータをホスト２０に返す。
【００４５】
図５は、アンドゥ型スナップショット作成方法が指定されたときのライト動作を説明するための図である。アンドゥ型スナップショット作成方法が指定されると、ホスト２０からのライト要求は、図５に示すようにアンドゥ型スナップショット作成部１４によって処理される。アンドゥ型スナップショット作成部１４は、メインデータ記憶部１８に格納されている最新世代のデータからリードを行い、リードしたデータをスナップショット記憶部１９にライトする。そして、アンドゥ型スナップショット作成部１４は、さらにメインデータの記憶部１８に対して、ホスト２０から要求されたライトデータをライトし、ホスト２０に完了報告を行う。
【００４６】
スナップショット入力部１１からのスナップショット作成方法の切り替えは以上に説明した通りである。
【００４７】
スナップショット設定部１２は、属性情報管理部１６に記憶されている属性情報と統計情報管理部１７に記憶されている統計情報を元に、ボリューム毎のスナップショット作成方法を決定し、スナップショット切替部１３に指定する。スナップショット切替部１３は、指定されたボリュームに対して指定されたスナップショット作成方法を設定する。
【００４８】
例えば、アンドゥ型スナップショット作成方法は最古の世代の廃棄に適しており、リドゥ型スナップショット作成方法は最新の世代の廃棄に適している。したがって、最古の世代のスナップショットを廃棄した回数が、最新の世代のスナップショットを廃棄した回数より多いボリュームにはアンドゥ型スナップショット作成方法が適していると言える。逆に、最新の世代のスナップショットを廃棄した回数が、最古の世代のスナップショットを廃棄した回数より多いボリュームにはリドゥ型スナップショット作成方法が適していると言える。
【００４９】
また、アンドゥ型スナップショット作成方法によってスナップショットが作成されている場合、ライトアクセス時には、例えば、ライト前の全体データの中でライトの対象部分を最新の全体データに対する管理から外し、過去の世代のスナップショットのデータに対する管理に移してから、ライトデータを最新の全体データの管理に組み込むという処理（Ｃｏｐｙ  ｏｎ  Ｗｒｉｔｅ）が必要である。リードアクセス時には、最新の全体データがあるのでそのデータ内のリードの対象部分にアクセスすればよい。一方、リドゥ型スナップショット作成方法によってスナップショットが作成されている場合、ライトアクセス時には、ライトの対象部分を差分として保存すればよいが、リードアクセス時には、最新の全体データが無いのでリードの対象部分がどの世代の差分データに含まれているかを判断する必要がある。これらのことから、アンドゥ型スナップショット作成方法はリードアクセスに適しており、リドゥ型スナップショット作成方法はライトアクセスに適しているといえる。そこで、例えば、リードアクセスがライトアクセスより多いボリュームにはアンドゥ型スナップショット作成方法を用い、ライトアクセスがリードアクセスより多いボリュームにはリドゥ型スナップショット作成方法を用いればよい。
【００５０】
また、例えば、あるボリュームとデータの内容が類似したボリュームに多く用いられているスナップショット作成方法は、そのボリュームに適していると推定できる。
【００５１】
以上説明したように、本実施形態のストレージ装置１０は、リドゥ型スナップショット作成部１５とアンドゥ型スナップショット作成部１４の２つを備え、スナップショット作成方法を選択することができる。そのため、データの特性に対して適切なスナップショット作成方法を選択し、スナップショットのデータを削除するのに要する処理を軽減するこができる。
【００５２】
また、ユーザからの指示、あるいは属性情報および統計情報に基づいて、スナップショット作成方法を選択するので、ユーザの意図する、データ特性に合った方法でスナップショットを作成することができる。
【００５３】
なお、本実施形態では、スナップショット設定部１２をストレージ装置１０の内部に備えた構成例を示したが、本発明はこれに限定されるものではない。他の例として、スナップショット設定部１２は、ストレージ管理サーバ（不図示）などのストレージ装置１０の外部に存在してもよい。
【００５４】
また、本実施形態では、スナップショット設定部１２の選択したスナップショット方法を直接スナップショット切替部１３に指示する構成例を示したが、本発明はこれに限定されるものではない。他の例として、スナップショット設定部１２の選択結果をスナップショット入力部１１に通知し、スナップショット入力部１１にてユーザの指定との優先制御をしてからスナップショット切替部１３に指示を与える構成としてもよい。
【００５５】
また、本実施形態におけるスナップショット作成方法の選択は、統計情報と属性情報の複数の項目を組み合わせて総合的に判断することとしてもよい。その場合、項目に重み付けをして判定をすることとしてもよい。
【００５６】
例えば、静的な属性情報と変動する統計情報とを組み合わせてスナップショット作成方法を選択する場合、属性情報と統計情報を数値化し、それぞれに重み付けをして合計した値を選択に用いることにしてもよい。安定性を重視する場合には属性情報の重みを大きくし、状況への追従性を重視する場合には統計情報の重みを大きくすればよい。
【００５７】
また、属性情報と統計情報を数値化し、それぞれに重み付けをして合計した値を選択に用いる場合、所定の閾値とその合計値との比較の結果から選択をすることにしてもよい。
【００５８】
さらに、その場合、合計値が閾値の前後で変動することにより選択がバタツクことを防止するために、アンドゥ型からリドゥ型へ切り替えるときに用いる閾値とリドゥ型からアンドゥ型へ切り替えるときに用いる閾値とを別個に設定し、ヒステリシス特性を持たせてもよい。
【図面の簡単な説明】
【００５９】
【図１】本実施形態のストレージ装置１０の構成を示すブロック図である。
【図２】リドゥ型スナップショット作成方法が指定されたときのリード動作を説明するための図である。
【図３】リドゥ型スナップショット作成方法が指定されたときのライト動作を説明するための図である。
【図４】アンドゥ型スナップショット作成方法が指定されたときのリード動作を説明するための図である。
【図５】アンドゥ型スナップショット作成方法が指定されたときのライト動作を説明するための図である。
【符号の説明】
【００６０】
１０    ストレージ装置
１１    スナップショット入力部
１２    スナップショット設定部
１３    スナップショット切替部
１４    アンドゥ型スナップショット作成部
１５    リドゥ型スナップショット作成部
１６    属性情報管理部
１７    統計情報管理部
１８    メインデータ記憶部
１９    スナップショット記憶部
２０    ホスト
【図１】
2007272675.tif 000003
【図２】
2007272675.tif 000004
【図３】
2007272675.tif 000005
【図４】
2007272675.tif 000006
【図５】
2007272675.tif 000007